(57)【要約】【課題】本発明は、格別な専門知識を必要とすることなく、誰でも簡単に樹脂板に対して効率よく短時間で所望の画像の印刷を行い、所望色や模様が付された例えば付け爪のような成型体を効率よく得ることができる樹脂板の印刷成型システムを提供する。【解決手段】本発明の印刷成型システムは、カメラ付きの携帯電話１７等の記録メディア１８に記録した画像又はパーソナルコンピュータ１９により作成した画像を基に拡大縮小処理、ひずみ補正、トリミング処理等、画像処理全般の操作を行い所望の成型イメージ画像を作成する成型制御コンピュータ１と、この成型制御コンピュータ１の制御の基に樹脂板に対する成型イメージ画像の印刷、印刷済の樹脂板の所望形状の成型体への成型加工を行う印刷・成型装置３と、成型制御コンピュータ１の制御の基に成型イメージ画像の保存管理を行うデータベース２とを有するものである。【選択図】図１
2007055255.tif 000002
【特許請求の範囲】
【請求項１】
カメラ付きの携帯情報端末の記録メディアに記録した画像又はパーソナルコンピュータにより作成した画像を基に所望の成型イメージ画像を作成する成型制御コンピュータと、
この成型制御コンピュータの制御の基に樹脂板に対する成型イメージ画像の印刷、印刷済の樹脂板の所望形状の成型体への成型加工を行う印刷・成型装置と、
を有することを特徴とする樹脂板の印刷成型システム。
【請求項２】
カメラ付きの携帯情報端末の記録メディアに記録した画像又はパーソナルコンピュータにより作成した画像を基に拡大縮小処理、ひずみ補正、トリミング処理等、画像処理全般の操作を行い所望の成型イメージ画像を作成する成型制御コンピュータと、
この成型制御コンピュータの制御の基に樹脂板に対する成型イメージ画像の印刷、印刷済の樹脂板の所望形状の成型体への成型加工を行う印刷・成型装置と、
前記成型制御コンピュータの制御の基に前記成型イメージ画像の保存管理を行うデータベースと、
を有することを特徴とする樹脂板の印刷成型システム。
【請求項３】
カメラ付きの携帯情報端末の記録メディアに記録した画像又はパーソナルコンピュータにより作成した画像を保存し、これらの画像を基に所望の成型イメージ画像を作成する任意数のクライアントコンピュータと、
このクライアントコンピュータと通信ネットワークを介して接続され、前記成型イメージ画像を受信する成型制御コンピュータと、
この成型制御コンピュータの制御の基に樹脂板に対する成型イメージ画像の印刷、印刷済の樹脂板の所望形状の成型体への成型加工を行う印刷・成型装置と、
を有することを特徴とする樹脂板の印刷成型システム。
【請求項４】
カメラ付きの携帯情報端末の記録メディアに記録した画像又はパーソナルコンピュータにより作成した画像を保存し、これらの画像を基に拡大縮小処理、ひずみ補正、トリミング処理等、画像処理全般の操作を行い所望の成型イメージ画像を作成する任意数のクライアントコンピュータと、
このクライアントコンピュータと通信ネットワークを介して接続され、前記成型イメージ画像の受信及び前記クライアントコンピュータへの成型完了通知を行う成型制御コンピュータと、
この成型制御コンピュータの制御の基に樹脂板に対する成型イメージ画像の印刷、印刷済の樹脂板の所望形状の成型体への成型加工を行う印刷・成型装置と、
前記成型制御コンピュータの制御の基に前記成型イメージ画像の保存管理を行うデータベースと、
を有することを特徴とする樹脂板の印刷成型システム。
【請求項５】
画像送信を行うカメラ付きの携帯情報端末又は任意数のクライアントコンピュータと、
前記携帯情報端末又はクライアントコンピュータから送信される前記画像を基に所望の成型イメージ画像を作成する成型イメージ作成サービスサーバーと、
成型イメージ作成サービスサーバーから送信される成型イメージ画像の樹脂板に対する印刷、印刷済の樹脂板の所望形状の成型体への成型加工を行う印刷・成型装置を備えた成型制御コンピュータと、
をインターネット網で接続したことを特徴とする特徴とする樹脂板の印刷成型システム。
【請求項６】
画像送信を行うカメラ付きの携帯情報端末又は任意数のクライアントコンピュータと、
前記携帯情報端末又はクライアントコンピュータから送信される前記画像を基に拡大縮小処理、ひずみ補正、トリミング処理等、画像処理全般の操作を行い所望の成型イメージ画像を作成するとともに、成型イメージ画像の保存管理を行うデータベースを備えた成型イメージ作成サービスサーバーと、
成型イメージ作成サービスサーバーから送信される成型イメージ画像の樹脂板に対する印刷、印刷済の樹脂板の所望形状の成型体への成型加工を行う印刷・成型装置を備えた成型制御コンピュータと、
をインターネット網で接続したことを特徴とする特徴とする樹脂板の印刷成型システム。
【請求項７】
画像送信を行うカメラ付きの携帯情報端末又は任意数のクライアントコンピュータと、
前記携帯情報端末又はクライアントコンピュータから送信される前記画像を基に拡大縮小処理、ひずみ補正、トリミング処理等、画像処理全般の操作を行い所望の成型イメージ画像を作成するとともに、成型イメージ画像の保存管理を行うデータベースを備えた成型イメージ作成サービスサーバーと、
成型イメージ作成サービスサーバーから送信される成型イメージ画像の樹脂板に対する印刷、印刷済の樹脂板の所望形状の成型体への成型加工を行う印刷・成型装置を備えた成型制御コンピュータと、
をインターネット網で接続した樹脂板の印刷成型システムであって、
前記成型イメージ作成サービスサーバーは、ＣＧＩプロググラムを搭載し、
前記携帯情報端末又は任意数のクライアントコンピュータと成型イメージ作成サービスサーバー間で、所望の成型体用の画像の送受信、オーダー確認、成型イメージ作成サービスサーバーにて作成した成型イメージ画像のユーザー確認、代金決済処理、オーダー完了処理を行い、
成型イメージ作成サービスサーバーと成型制御コンピュータとの間で、成型制御コンピュータの管理担当者への受注通知、オーダー確認用のオーダー一覧画面の送信、オーダー詳細情報の送信、作成した成型イメージ画像の送信を行うことを特徴とする樹脂板の印刷成型システム。
【請求項８】
前記成型イメージ画像は、樹脂板画像に成型部分としての付け爪に相当する画像を付した画像であることを特徴とする請求項１乃至７のいずれかに記載の樹脂板の印刷成型システム。
【請求項９】
樹脂板に対して成型部分の画像印刷を行う印刷手段と、
成型部分の画像印刷済みの樹脂板を固定し、この樹脂板を加熱する加熱部の移動と、前記成型部分の成型を行う上下の成型用型（金型又は樹脂型或いはアルミ型等）のいずれか一方の移動とにより樹脂板に対する加熱、成型を行い、所望形状の成型体を得る樹脂成型装置と
を有することを有することを特徴とする樹脂板の印刷・成型装置。
【請求項１０】
前記樹脂板上の成型部分は、付け爪に相当するものである請求項９記載の樹脂板の印刷・成型装置。
【請求項１１】
所望の成型イメージ画像のデータを記憶した共通データベースと、樹脂板に対する成型イメージ画像の印刷、印刷済の樹脂板の所望形状の成型体への成型加工を行う印刷・成型装置と、印刷・成型装置の動作制御を行う成型制御コンピュータと、Ｗｅｂサーバー、画像処理手段として機能する成型イメージ作成サービスサーバーと、を有する主印刷・成型系と、
前記主印刷・成型系の設置場所とは異なる各地に設置される簡易デザインソフトをインストールし、記録メディア読取手段を備えた任意数のクライアントコンピュータ又は専用モバイルサイトにアクセス可能か、携帯電話専用のデザインソフトをダウンロードしたカメラ付きの携帯情報端末と、
前記主印刷・成型系と、任意数のクライアントコンピュータ又はカメラ付きの携帯情報端末との間のデータ交信を行う通信網と、
を含む樹脂板の印刷成型システムであって、
前記クライアントコンピュータ又はカメラ付きの携帯情報端末は、簡易デザインソフトを使用し、前記共通データベースから通信網を介して所望の成型イメージ画像を読み込むとともに、このクライアントコンピュータ又はカメラ付きの携帯情報端末にて作成した又は前記記録メディア読取手段から読み取った画像と読み込んだ所望の成型イメージ画像とにより所望のデザイン画像を作成し、所望のデザイン画像を通信網を介して主印刷・成型系に送信し、
前記主印刷・成型系は、成型イメージ作成サービスサーバーにより前記クライアントコンピュータ又はカメラ付きの携帯情報端末から送信される所望のデザイン画像に対応した成型イメージ画像の作成処理を行い、成型制御コンピュータの制御の基に印刷・成型装置により前記所望のデザイン画像に対応する所望形状の成型体を印刷、成型すること、
を特徴とする樹脂板の印刷成型システム。
【請求項１２】
所望の成型イメージ画像のデータを記憶した共通データベースと、樹脂板に対する成型イメージ画像の印刷、印刷済の樹脂板の所望形状の成型体への成型加工を行う印刷・成型装置と、印刷・成型装置の動作制御を行う成型制御コンピュータと、Ｗｅｂサーバー、画像処理手段として機能する成型イメージ作成サービスサーバーと、を有する主印刷・成型系と、
前記主印刷・成型系の設置場所とは異なる各地に設置される簡易デザインソフトをインストールし、記録メディア読取手段を備えた任意数のクライアントコンピュータ又は専用モバイルサイトにアクセス可能か、携帯電話専用のデザインソフトをダウンロードしたカメラ付きの携帯情報端末と、
前記主印刷・成型系と、任意数のクライアントコンピュータ又はカメラ付きの携帯情報端末との間のデータ交信を行う通信網と、
を含む樹脂板の印刷成型システムであって、
前記クライアントコンピュータ又はカメラ付きの携帯情報端末は、簡易デザインソフトを使用し、前記共通データベースから通信網を介して所望の成型イメージ画像を読み込むとともに、このクライアントコンピュータ又はカメラ付きの携帯情報端末にて作成した又は前記記録メディア読取手段から読み取った画像と読み込んだ所望の成型イメージ画像とにより所望のデザイン画像を作成し、所望のデザイン画像を通信網を介して主印刷・成型系に送信し、
前記主印刷・成型系は、成型イメージ作成サービスサーバーにより前記クライアントコンピュータ又はカメラ付きの携帯情報端末から送信される所望のデザイン画像に対応した成型イメージ画像の作成処理を行い、成型制御コンピュータの制御の基に印刷・成型装置により前記所望のデザイン画像に対応する所望形状の成型体を印刷、成型するとともに、前記クライアントコンピュータ又はカメラ付きの携帯情報端末のユーザーからの所望形状の成型体作成の受注処理、印刷、成型した所望形状の成型体の当該ユーザーへの発送処理を行う受注・発送サーバーと、前記クライアントコンピュータ又はカメラ付きの携帯情報端末から送信されるデザイン画像の一般ユーザーへの提供用としての登録処理を行う登録サーバーと、一般ユーザーへの提供の提供に伴う課金処理を行う課金サーバーとを更に有すること、
を特徴とする樹脂板の印刷成型システム。
【請求項１３】
所望の成型イメージ画像のデータを記憶した共通データベースと、樹脂板に対する成型イメージ画像の印刷、印刷済の樹脂板の所望形状の成型体への成型加工を行う印刷・成型装置と、印刷・成型装置の動作制御を行う成型制御コンピュータと、Ｗｅｂサーバー、画像処理手段として機能する成型イメージ作成サービスサーバーと、を有する主印刷・成型系と、
簡易デザインソフトをインストールしたユーザー操作用のユーザー端末と、各種記録メディアに記録された画像を読み取る記録メディア読取手段と、樹脂板に対する成型イメージ画像の印刷、印刷済の樹脂板の所望形状の成型体への成型加工を行う印刷・成型装置と、この印刷・成型装置の動作制御を行う成型制御コンピュータと、を有し、前記主印刷・成型系の設置場所とは異なる各地に設置される任意個数のローカル印刷・成型系と、
前記主印刷・成型系と、任意数のローカル印刷・成型系との間のデータ交信を行う通信網と、
を含む樹脂板の印刷成型システムであって、
ローカル印刷・成型系の設置場所にて前記ユーザー端末の簡易デザインソフトを使用し、前記共通データベースから通信網を介して所望の成型イメージ画像を読み込むとともに、ユーザー端末にて作成した又は前記記録メディア読取手段から読み取った画像と読み込んだ所望の成型イメージ画像とにより所望のデザイン画像を作成し、前記ローカル印刷・成型系の設置場所にて前記成型制御コンピュータの制御の基に印刷・成型装置により前記所望のデザイン画像に対応する所望形状の成型体を印刷、成型すること、
を特徴とする樹脂板の印刷成型システム。
【請求項１４】
所望の成型イメージ画像のデータを記憶した共通データベースと、樹脂板に対する成型イメージ画像の印刷、印刷済の樹脂板の所望形状の成型体への成型加工を行う印刷・成型装置と、印刷・成型装置の動作制御を行う成型制御コンピュータと、Ｗｅｂサーバー、画像処理手段として機能する成型イメージ作成サービスサーバーと、を有する主印刷・成型系と、
簡易デザインソフトをインストールしたユーザー操作用のユーザー端末と、各種記録メディアに記録された画像を読み取る記録メディア読取手段と、樹脂板に対する成型イメージ画像の印刷、印刷済の樹脂板の所望形状の成型体への成型加工を行う印刷・成型装置と、この印刷・成型装置の動作制御を行う成型制御コンピュータと、を有し、前記主印刷・成型系の設置場所とは異なる各地に設置される任意個数のローカル印刷・成型系と、
前記主印刷・成型系と、任意数のローカル印刷・成型系との間のデータ交信を行う通信網と、
を含む樹脂板の印刷成型システムであって、
ローカル印刷・成型系は、各設置場所にて前記ユーザー端末の簡易デザインソフトを使用し、前記共通データベースから通信網を介して所望の成型イメージ画像を読み込むとともに、ユーザー端末にて作成した又は前記記録メディア読取手段から読み取った画像と読み込んだ所望の成型イメージ画像とにより所望のデザイン画像を作成し、前記ローカル印刷・成型系の設置場所にて前記成型制御コンピュータの制御の基に印刷・成型装置により前記所望のデザイン画像に対応する所望形状の成型体を印刷、成型し、
前記主印刷・成型系は、前記ユーザー端末からの所望形状の成型体作成の受注処理、印刷、成型した所望形状の成型体の当該ユーザーへの発送処理を行う受注・発送サーバーと、前記ユーザー端末から送信されるデザイン画像の一般ユーザーへの提供用としての登録処理を行う登録サーバーと、一般ユーザーへの提供の提供に伴う課金処理を行う課金サーバーとを更に有すること、
を特徴とする樹脂板の印刷成型システム。
【請求項１５】
所望の成型イメージ画像のデータを記憶した共通データベースと、樹脂板に対する成型イメージ画像の印刷、印刷済の樹脂板の所望形状の成型体への成型加工を行う印刷・成型装置と、印刷・成型装置の動作制御を行う成型制御コンピュータと、Ｗｅｂサーバー、画像処理手段として機能する成型イメージ作成サービスサーバーと、を有する主印刷・成型系と、
簡易デザインソフトをインストールしたユーザー操作用のユーザー端末と、各種記録メディアに記録された画像を読み取る記録メディア読取手段と、樹脂板に対する成型イメージ画像の印刷、印刷済の樹脂板の所望形状の成型体への成型加工を行う印刷・成型装置と、この印刷・成型装置の動作制御を行う成型制御コンピュータと、を有し、前記主印刷・成型系の設置場所とは異なる各地に設置される任意個数のローカル印刷・成型系と、
前記ローカル印刷・成型系に対応して設置される簡易デザインソフトをインストールし、記録メディア読取手段を備え、対応する前記ローカル印刷・成型系とＬＡＮ等で各々ネットワーク化された任意数のクライアントコンピュータ又は専用モバイルサイトにアクセス可能か、携帯電話専用のデザインソフトをダウンロードしたカメラ付きの携帯情報端末と、
前記主印刷・成型系と、任意数のローカル印刷・成型系と、任意数のクライアントコンピュータ又はカメラ付きの携帯情報端末との間のデータ交信を行う通信網と、
を含む樹脂板の印刷成型システムであって、
ローカル印刷・成型系の設置場所にて前記ユーザー端末の簡易デザインソフトを使用し、前記共通データベースから通信網を介して所望の成型イメージ画像を読み込むとともに、ユーザー端末にて作成した又は前記記録メディア読取手段から読み取った画像と読み込んだ所望の成型イメージ画像とにより所望のデザイン画像を作成し、又は、
前記クライアントコンピュータ又はカメラ付きの携帯情報端末により、簡易デザインソフトを使用し、前記共通データベースから通信網を介して所望の成型イメージ画像を読み込むとともに、このクライアントコンピュータ又はカメラ付きの携帯情報端末にて作成した又は前記記録メディア読取手段から読み取った画像と読み込んだ所望の成型イメージ画像とにより所望のデザイン画像を作成し、
前記ローカル印刷・成型系の設置場所にて前記ＬＡＮ等のネットワークを利用して前記成型制御コンピュータの制御の基に印刷・成型装置により前記所望のデザイン画像に対応する所望形状の成型体を印刷、成型すること、
を特徴とする樹脂板の印刷成型システム。
【請求項１６】
所望の成型イメージ画像のデータを記憶した共通データベースと、樹脂板に対する成型イメージ画像の印刷、印刷済の樹脂板の所望形状の成型体への成型加工を行う印刷・成型装置と、印刷・成型装置の動作制御を行う成型制御コンピュータと、Ｗｅｂサーバー、画像処理手段として機能する成型イメージ作成サービスサーバーと、を有する主印刷・成型系と、
簡易デザインソフトをインストールしたユーザー操作用のユーザー端末と、各種記録メディアに記録された画像を読み取る記録メディア読取手段と、樹脂板に対する成型イメージ画像の印刷、印刷済の樹脂板の所望形状の成型体への成型加工を行う印刷・成型装置と、この印刷・成型装置の動作制御を行う成型制御コンピュータと、を有し、前記主印刷・成型系の設置場所とは異なる各地に設置される任意個数のローカル印刷・成型系と、
前記ローカル印刷・成型系に対応して設置される簡易デザインソフトをインストールし、記録メディア読取手段を備え、対応する前記ローカル印刷・成型系とＬＡＮ等で各々ネットワーク化された任意数のクライアントコンピュータ又は専用モバイルサイトにアクセス可能か、携帯電話専用のデザインソフトをダウンロードしたカメラ付きの携帯情報端末と、
前記主印刷・成型系と、任意数のローカル印刷・成型系と、任意数のクライアントコンピュータ又はカメラ付きの携帯情報端末との間のデータ交信を行う通信網と、
を含む樹脂板の印刷成型システムであって、
ローカル印刷・成型系の設置場所にて前記ユーザー端末の簡易デザインソフトを使用し、前記共通データベースから通信網を介して所望の成型イメージ画像を読み込むとともに、ユーザー端末にて作成した又は前記記録メディア読取手段から読み取った画像と読み込んだ所望の成型イメージ画像とにより所望のデザイン画像を作成し、又は、前記クライアントコンピュータ又はカメラ付きの携帯情報端末により、簡易デザインソフトを使用し、前記共通データベースから通信網を介して所望の成型イメージ画像を読み込むとともに、このクライアントコンピュータ又はカメラ付きの携帯情報端末にて作成した又は前記記録メディア読取手段から読み取った画像と読み込んだ所望の成型イメージ画像とにより所望のデザイン画像を作成し、前記ローカル印刷・成型系の設置場所にて前記ＬＡＮ等のネットワークを利用して前記成型制御コンピュータの制御の基に印刷・成型装置により前記所望のデザイン画像に対応する所望形状の成型体を印刷、成型し、
前記主印刷・成型系は、前記ユーザー端末からの所望形状の成型体作成の受注処理、印刷、成型した所望形状の成型体の当該ユーザーへの発送処理を行う受注・発送サーバーと、前記ユーザー端末から送信されるデザイン画像の一般ユーザーへの提供用としての登録処理を行う登録サーバーと、一般ユーザーへの提供の提供に伴う課金処理を行う課金サーバーとを更に有すること、
を特徴とする樹脂板の印刷成型システム。
【請求項１７】
樹脂板に対して成型部分の画像印刷を行う印刷手段と、
成型部分の画像印刷済みの樹脂板を固定し、この樹脂板を加熱する加熱部の移動と、前記成型部分の成型を行う各々カセット化され構成部分の取り替えが容易な上下の成型用型（成型用型（金型又は樹脂型或いはアルミ型等）又は樹脂型或いはアルミ型等）のいずれか一方の移動とにより樹脂板に対する加熱、成型を行うとともに、所望形状の成型体を得る樹脂成型装置と、
を有することを特徴とする樹脂板の印刷・成型装置。
【請求項１８】
樹脂板に対して成型部分の画像印刷を行う印刷手段と、
成型部分の画像印刷済みの樹脂板を固定し、この樹脂板を加熱する加熱部の移動と、前記成型部分の成型を行う各々カセット化され構成部分の取り替えが容易な上下の成型用型（金型又は樹脂型或いはアルミ型等）のいずれか一方の移動とにより樹脂板に対する加熱、成型を行うとともに、所望形状の成型体を得る樹脂成型装置と、
を有し、
前記印刷手段は、画像印刷を行うプリントヘッドに対する樹脂板の搬送系に位置検出用の光電センサーを備えるとともに、前記樹脂板の一部に光電センサーの光路を遮る光不透過性のインクを塗布することにより、透明材からなる樹脂板への画像印刷を可能としたことを特徴とする樹脂板の印刷・成型装置。
【請求項１９】
樹脂板に対して成型部分の画像印刷を行う印刷手段と、
成型部分の画像印刷済みの樹脂板を固定し、この樹脂板を加熱する加熱部の移動と、前記成型部分の成型を行う各々カセット化され構成部分の取り替えが容易な上下の成型用型（金型又は樹脂型或いはアルミ型等）のいずれか一方の移動とにより樹脂板に対する加熱、成型を行うとともに、所望形状の成型体を得る樹脂成型装置と、
を有し、
前記印刷手段は、画像印刷を行うプリントヘッドに対する樹脂板の搬送系に位置検出用のリミットスイッチ等の器械式センサーを備え、透明材からなる樹脂板への画像印刷を可能としたことを特徴とする樹脂板の印刷・成型装置。
【請求項２０】
前記樹脂板上の成型部分は、付け爪に相当するものである請求項１７乃至１９のいずれかに記載の樹脂板の印刷・成型装置。
【発明の詳細な説明】
【技術分野】
【０００１】
本発明は、樹脂板に成型部分の印刷を行い、種々の形状に成型する樹脂板の印刷成型システム及び樹脂板の印刷・成型装置に関するものである。
【背景技術】
【０００２】
樹脂板上に種々の画像を印刷する技術は従来からあるが（例テレフォンカード等）、印刷後に樹脂板を好みの形状に成型することは、極めて困難であった。
例えば、付け爪（以下「チップ」と略す）作成を例にとると、チップに色を付けることは成型時に可能であるが、チップ上に絵柄等（デザイン画等）を描くには専門の技術が必要であり、相当な金額と時間と費やしていた。
【０００３】
また、写真等のような繊細な画像を描くことは難しく、このため、簡易的にシールに画像印刷を行い、それをチップ上に貼り付けて代用としていた。
【０００４】
チップに限らず、成型後の素材の曲面に印刷を行う技術はパット印刷等、専門分野では可能であるが、多大な設備投資が必要になる
【０００５】
また、デザイナーが専門のデザインソフトウェア（たとえば、フォトショップやイラストレータ等）を使用してデザイン画を制作することも時間がかかり大変な作業である。
【０００６】
また、素材の成型を行う場合、予め素材である印刷済みの樹脂板を加熱する必要があるが、加熱により樹脂板が柔らかくなり、成型する為の樹脂板の移動が非常に困難となる。
【０００７】
従来においても、事前に抜き型により加工された樹脂板に対しプリンタを使用して模様等を印刷し、樹脂成型するシステムが知られているが、このシステムでは、パーソナルコンピュータ上の画像処理専用デザインソフトウェアを使用して樹脂型に合わせて模様をデザインして印刷を行い、樹脂板に対する樹脂成型操作を行うものである。
【０００８】
しかし、この場合にはパーソナルコンピュータ上の画像処理専用デザインソフトウェアを使用する際のすべての操作がオフライン操作であり、画像処理専用デザインソフトウェアの専門的な知識が必要である。
【０００９】
また、デジタルカメラや携帯電話に保存された画像を樹脂板に印刷し、樹脂成型する装置において、１枚のメモリーカード又は携帯電話に保存されている画像の枚数は数十枚と比較的多い場合が大半である。それらの画像をメモリーカードのような記録メディアからパーソナルコンピュータの記憶手段に保存し樹脂板の成型操作をするには多くの時間を要し、装置の回転率が低下してしまう。
【００１０】
特許文献１には、支持体に取り付けた一面に爪部を備える写真画像被転写体に再転写印刷法により顔写真等を印刷し、この写真画像被転写体を支持体から取り外した後、爪部を内側に曲げながら成形体に固着することで得られる立体的形状の写真画像付成形体が提案されている。
【００１１】
しかし、この特許文献１の写真画像付成形体の場合、この写真画像付成形体を製造するに際して、コンピュータ技術を利用するものではなく、誰でも簡単に且つ効率よく短時間で写真画像付成形体を製造することは困難である。
【００１２】
特許文献２には、装置自体に、予め多数の付け爪用表示の画像データを用意して、利用者の選択に応じて特定の付け爪用表示を基材に印刷することで付け爪を得るように構成した付け爪製造装置が提案されている。
【００１３】
しかし、この特許文献２の場合には、多数の付け爪用表示の画像データを予め装置に用意しておく構成であり、利用者自身が用意した好みの画像を基に付け爪を得るように構成されたものではない。
【特許文献１】特開２００５−３１６号公報
【特許文献２】特開２００２−１７２０１８号公報
【発明の開示】
【発明が解決しようとする課題】
【００１４】
本発明が解決しようとする課題は、格別な専門知識を必要とすることなく、コンピュータを利用して誰でも簡単に樹脂板に対して効率よく短時間で所望の画像の印刷を行い、所望色や模様が付された例えば付け爪のような成型体を効率よく得ることができる樹脂板の印刷成型システムが存在しない点である。
【課題を解決するための手段】
【００１５】
本発明の樹脂板の印刷成型システムは、カメラ付きの携帯情報端末の記録メディアに記録した画像又はパーソナルコンピュータにより作成した画像を基に所望の成型イメージ画像を作成する成型制御コンピュータと、この成型制御コンピュータの制御の基に樹脂板に対する成型イメージ画像の印刷、印刷済の樹脂板の所望形状の成型体への成型加工を行う印刷・成型装置と、を有することを最も主要な特徴とする。
【発明の効果】
【００１６】
本発明によれば、以下の効果を奏する。
請求項１、２記載の発明によれば、カメラ付きの携帯情報端末の記録メディアに記録した画像又はパーソナルコンピュータにより作成した画像を基に、格別な専門知識を必要とすることなく、成型制御コンピュータを利用して誰でも簡単に成型イメージ画像を作成し、印刷・成型装置により樹脂板に対して効率よく短時間で所望の成型イメージ画像の印刷を行い、更に所望色や模様が付された例えば付け爪のような成型体を効率よく得ることができる。また、成型イメージ画像の保存管理を行うデータベースを備えた構成とすることにより、データベースに保存管理した既存の成型イメージ画像を迅速に検索してこれを基に所望の画像の印刷を行い、所望色や模様が付された例えば付け爪のような成型体を効率よく得ることができる。
【００１７】
請求項３、４記載の発明によれば、クライアントコンピュータの使用者がカメラ付きの携帯情報端末の記録メディアに記録した画像又はパーソナルコンピュータにより作成した画像を基に、格別な専門知識を必要とすることなく成型イメージ画像を作成し、この成型イメージ画像を通信ネットワークを介して成型制御コンピュータに送ることで、印刷・成型装置により樹脂板に対して効率よく短時間で所望の成型イメージ画像の印刷を行い、更に所望色や模様が付された例えば付け爪のような成型体を効率よく得ることができる。
【００１８】
また、成型イメージ画像の保存管理を行うデータベースを備えた構成とすることにより、データベースに保存管理した既存の成型イメージ画像を迅速に検索してこれを基に所望の画像の印刷を行い、所望色や模様が付された例えば付け爪のような成型体を効率よく得ることができる。
【００１９】
請求項５、６記載の発明によれば、カメラ付きの携帯情報端末又は任意数のクライアントコンピュータからの画像をインターネット網を利用して成型イメージ作成サービスサーバーに送ることで、この成型イメージ作成サービスサーバーにより格別な専門知識を必要とすることなく前記クライアントコンピュータからの画像を基にした成型イメージ画像が作成され、この成型イメージ画像はインターネット網を利用して成型制御コンピュータに送られ、印刷・成型装置によって前記クライアントコンピュータからの画像を基にした成型イメージ画像が樹脂板に対して効率よく短時間で印刷され、更に所望色や模様が付された例えば付け爪のような成型体を効率よく得ることができる。
【００２０】
また、成型イメージ作成サービスサーバーに成型イメージ画像の保存管理を行うデータベースを備える構成とすることで、このデータベースに保存管理した既存の成型イメージ画像を例えば付け爪のような成型体の作成のために効率よく利用することができる。
【００２１】
請求項７記載の発明によれば、前記請求項５、６記載の発明と同様な効果を奏することに加え、成型イメージ作成サービスサーバーにＣＧＩプロググラムを搭載し、携帯情報端末又は任意数のクライアントコンピュータと成型イメージ作成サービスサーバー間及び成型イメージ作成サービスサーバーと成型制御コンピュータ間でインターネット網を利用してカメラ付きの携帯情報端末又は任意数のクライアントコンピュータからの画像に関連するオーダー確認、成型イメージ画像のユーザー確認、代金決済処理、オーダー完了処理、更には成型制御コンピュータの管理担当者への受注通知、オーダー確認用のオーダー一覧画面の送信、オーダー詳細情報の送信、作成した成型イメージ画像の送信等の一連の処理が迅速、且つ、確実に実行され、印刷・成型装置によってクライアントコンピュータからの画像を基にした成型イメージ画像が樹脂板に対して効率よく短時間で印刷され、更に所望色や模様が付された例えば付け爪のような成型体を効率よく得ることができる。
【００２２】
請求項８記載の発明によれば、請求項１乃至７のいずれかに記載の樹脂板の印刷成型システムにおいて、前記成型イメージ画像を、樹脂板画像に成型部分としての付け爪に相当する画像を付した画像とするものであるから、各々の樹脂板の印刷成型システムを付け爪として使用する成型体を得るために機能させることができ、請求項１乃至７の各発明の効果を各々発揮させることができる。
【００２３】
請求項９、１０記載の発明によれば、印刷手段によって樹脂板に対して付け爪に相当するような成型部分の画像印刷が行われた後、樹脂板を固定し、この樹脂板を加熱する加熱部の移動と、前記成型部分の成型を行う上下の成型用型（金型又は樹脂型或いはアルミ型等）のいずれか一方の移動とにより樹脂板に対する加熱、成型を行い所望の成型体、例えば付け爪を得るものであるから、樹脂板の変形や冷めを回避しつつ正確に所望の成型体を得ることができる樹脂板の印刷・成型装置を提供することができる。
【００２４】
請求項１１、１２記載の発明によれば、所望の成型イメージ画像のデータを記憶した共通データベースを備えた主印刷・成型系に対して、この主印刷・成型系の設置場所とは異なる各地に簡易デザインソフトをインストールし、記録メディア読取手段を備えた任意数のクライアントコンピュータ又は専用モバイルサイトにアクセス可能か、携帯電話専用のデザインソフトをダウンロードしたカメラ付きの携帯情報端末を配置し通信網を介在させた構成で、前記クライアントコンピュータ又はカメラ付きの携帯情報端末側で前記共通データベースを利用して所望のデザイン画像を作成し、所望のデザイン画像を通信網を介して主印刷・成型系に送信することで、主印刷・成型系側で前記所望のデザイン画像に対応した成型イメージ画像の作成処理を行い、成型制御コンピュータの制御の基に印刷・成型装置により前記所望のデザイン画像に対応する所望形状の成型体を印刷、成型することができる樹脂板の印刷成型システムを提供できる。
また、この場合に、主印刷・成型系において、前記クライアントコンピュータ又はカメラ付きの携帯情報端末のユーザーからの所望形状の成型体作成の受注処理、所望形状の成型体の当該ユーザーへの発送処理を行い、デザイン画像の一般ユーザーへの提供用としての登録処理を行い、更には、一般ユーザーへの提供の提供に伴う課金処理を実行できる樹脂板の印刷成型システムを提供できる。
【００２５】
請求項１３、１４記載の発明によれば、所望の成型イメージ画像のデータを記憶した共通データベースを備えた主印刷・成型系に対して、この主印刷・成型系の設置場所とは異なる各地に簡易デザインソフトをインストールしたユーザー操作用のユーザー端末と、各種記録メディアに記録された画像を読み取る記録メディア読取手段と、樹脂板に対する成型イメージ画像の印刷、印刷済の樹脂板の所望形状の成型体への成型加工を行う印刷・成型装置と、この印刷・成型装置の動作制御を行う成型制御コンピュータと、を有する任意個数のローカル印刷・成型系を配置し、通信網を介在させた構成で、ローカル印刷・成型系の設置場所にて前記ユーザー端末の簡易デザインソフトを使用し、前記共通データベースから通信網を介して所望の成型イメージ画像を読み込むとともに、ユーザー端末にて作成した又は前記記録メディア読取手段から読み取った画像と読み込んだ所望の成型イメージ画像とにより所望のデザイン画像を作成し、前記ローカル印刷・成型系の設置場所にて前記成型制御コンピュータの制御の基に印刷・成型装置により前記所望のデザイン画像に対応する所望形状の成型体を印刷、成型してそのまま持ち帰ることができる樹脂板の印刷成型システムを提供できる。
また、この場合に、主印刷・成型系において、前記ローカル印刷・成型系のユーザー端末からの所望形状の成型体作成の受注処理、所望形状の成型体の当該ユーザーへの発送処理を行い、デザイン画像の一般ユーザーへの提供用としての登録処理を行い、更には、一般ユーザーへの提供の提供に伴う課金処理を実行できる樹脂板の印刷成型システムを提供できる。
【００２６】
請求項１５、１６記載の発明によれば、上述した請求項１１、１２記載の発明と、請求項１３、１４記載の発明とを組み合わせた構成で、ローカル印刷・成型系の設置場所にて前記ユーザー端末の簡易デザインソフトを使用し、又は、前記クライアントコンピュータ又はカメラ付きの携帯情報端末を使用し、前記共通データベースを利用して、ローカル印刷・成型系の設置場所にて前記成型制御コンピュータの制御の基に印刷・成型装置により前記所望のデザイン画像に対応する所望形状の成型体を印刷、成型してそのまま持ち帰ることができる樹脂板の印刷成型システムを提供できる。
また、この場合に、主印刷・成型系において、前記ローカル印刷・成型系のユーザー端末、又は、前記クライアントコンピュータ又はカメラ付きの携帯情報端末からの所望形状の成型体作成の受注処理、所望形状の成型体の当該ユーザーへの発送処理を行い、デザイン画像の一般ユーザーへの提供用としての登録処理を行い、更には、一般ユーザーへの提供の提供に伴う課金処理を実行できる樹脂板の印刷成型システムを提供できる。
【００２７】
請求項１７記載の発明によれば、請求項９記載の発明の場合と同様、印刷手段によって樹脂板に対して成型部分の画像印刷が行われた後、樹脂板を固定し、この樹脂板を加熱する加熱部の移動と、前記成型部分の成型を行う上下の成型用型（金型又は樹脂型或いはアルミ型等）のいずれか一方の移動とにより樹脂板に対する加熱、成型を行い所望の成型体を得るものであるから、樹脂板の変形や冷めを回避しつつ正確に所望の成型体を得ることができるとともに、上下の成型用型（金型又は樹脂型或いはアルミ型等）がカセット化されていることから、成型体の多種少量生産にも対応できることから生産効率にも優れた樹脂板の印刷・成型装置を提供できる。
【００２８】
請求項１８記載の発明によれば、請求項１７記載の発明の場合と同様な効果を奏するとともに、前記印刷手段は、画像印刷を行うプリントヘッドに対する樹脂板の搬送系に位置検出用の光電センサーを備え、前記樹脂板の一部に光電センサーの光路を遮る光不透過性のインクを塗布する構成としたことによって、透明材からなる樹脂板への画像印刷も可能な樹脂板の印刷・成型装置を提供できる。
【００２９】
請求項１９記載の発明によれば、請求項１７記載の発明の場合と同様な効果を奏するとともに、請求項１７記載の発明の場合と同様な効果を奏するとともに、前記印刷手段は、画像印刷を行うプリントヘッドに対する樹脂板の搬送系に位置検出用のリミットスイッチ等の器械式センサーを備えた構成であるため、光電センサーを用いることなく透明材からなる樹脂板への画像印刷も可能な樹脂板の印刷・成型装置を提供できる。
【００３０】
請求項２０記載の発明によれば、請求項１７乃至１９のいずれかに記載の発明において、前記樹脂板上の成型部分は、付け爪に相当するものとしたので、各々つけ爪の作成に好適な樹脂板の印刷・成型装置を提供できる。
【発明を実施するための最良の形態】
【００３１】
本発明は、格別な専門知識を必要とすることなく、コンピュータを利用して誰でも簡単に樹脂板に対して効率よく短時間で所望の画像の印刷を行い、所望色や模様が付された例えば付け爪（又はその他の形態、形状）のような成型体を効率よく得ることができる樹脂板の印刷成型システムを提供するという目的を、カメラ付きの携帯情報端末の記録メディアに記録した画像又はパーソナルコンピュータにより作成した画像を基に拡大縮小処理、ひずみ補正、トリミング処理等、画像処理全般の操作を行い所望の成型イメージ画像を作成する成型制御コンピュータと、この成型制御コンピュータの制御の基に樹脂板に対する成型イメージ画像の印刷、印刷済の樹脂板の所望形状の成型体への成型加工を行う印刷・成型装置と、前記成型制御コンピュータの制御の基に前記成型イメージ画像の保存管理を行うデータベースと、を有する構成により実現した。
【実施例】
【００３２】
以下に本発明の実施例に係る樹脂板の印刷成型システムについて詳細に説明する。
（実施例１）
図１は、本実施例１に係る樹脂板５０の印刷成型システムの基本構成を示すものであり、この樹脂板の印刷成型システムは、成型制御コンピュータ１と、成型制御コンピュータ１に接続した例えばハードディスク（ＨＤＤ）等を用いたデータベース２と、樹脂板５０に対する所望の画像の印刷及び樹脂板５０の成型を行う印刷・成型装置３と、を有している。
【００３３】
前記印刷・成型装置３は、図２に示すように、樹脂板５０に対する所望の画像の印刷を行う印刷手段であるプリンタ１０と、樹脂板５０を加熱する加熱部１２、樹脂板５０に対する成型を行う成型部１３及びトリミング処理を行うトリミング部１４を具備し、印刷処理後の樹脂板５０に対する成型を行う樹脂成型装置１１とを有している。なお、本発明においては、不要部分を除去するトリミング処理を行うトリミング部１４の有無は問わない。
【００３４】
なお、前記成型部１３に同時トリミング機能を含ませる構成とした場合には前記トリミング部１４を省略した構成とすることもできる。また、プリンタ１０と樹脂成型装置１１とを分離した構成とすることもできる。
【００３５】
前記印刷・成型装置３は、図３に示すように、印刷処理後の樹脂板５０に対して樹脂成型装置１１を構成する成型用型（金型又は樹脂型或いはアルミ型等）（下）１５を移動させることにより、樹脂板５０自体を移動しないようにしたり、樹脂板５０自体を移動せず、成型用型（金型又は樹脂型或いはアルミ型等）（下）１５を固定し、加熱部１２及び成型用型（金型又は樹脂型或いはアルミ型等）（上）１６を移動するように構成することも可能である。また、この場合の移動軌跡は直線移動、円運動でも構わない。これにより、加熱部１２により加熱され柔らかくなった樹脂板５０が移動によって変形したり冷えてしまうことを防止することができる。
【００３６】
前記成型用型（金型又は樹脂型或いはアルミ型等）（下）１５、成型用型（金型又は樹脂型或いはアルミ型等）（上）１６は、容易に交換可能なカセット方式とし、随時別の成型用型（金型又は樹脂型或いはアルミ型等）（下）１５、成型用型（金型又は樹脂型或いはアルミ型等）（上）１６に変更することで種々の形状の成型を可能とすることができる。
【００３７】
前記成型制御コンピュータ１は、印刷・成型装置３を制御し、樹脂板５０に印刷し、成型する機能を備えている他、拡大縮小処理、ひずみ補正、トリミング処理等、画像処理全般の操作を自動実行する簡易印刷ソフトウェアを搭載した構成としている。
【００３８】
すなわち、例えばカメラ付きの携帯電話１７や図示しないデジタルカメラ等の携帯情報端末の記録メディア（例えばコンパクトフラッシュ（登録商標）メモリやメモリスティック（商標）等）１８に保存した使用者（ユーザー）好みの画像又はパーソナルコンピュータ１９で作成した使用者（ユーザー）好みのデジタル画像を、成型制御コンピュータ１の例えばハードディスク等の記憶手段に保存する。
【００３９】
保存されたデジタル画像は、画像サイズや解像度が様々であるため、成型制御コンピュータ１の使用者はこの成型制御コンピュータ１のディスプレイに表示されるイメージ画像を見ながら、当該画像の一部分を範囲選択する。
【００４０】
範囲選択後、成型制御コンピュータ１は自動的に画像処理を実行する。すなわち、簡易印刷ソフトウェアによって当該画像の拡大縮小処理、ひずみ補正、トリミング処理等、画像処理全般の操作を自動実行し、処理後の画像を成型イメージ画像として自動的に描画しディスプレイに表示する。これにより、成型イメージ画像を確認することができる。
【００４１】
前記成型イメージ画像は、図１に示すように、樹脂板のイメージに例えば付け爪（又はその他の形態、形状）形状で、且つ、前記使用者の好みの画像に対応した色、模様等を表示した成型部分５１ａ（図１において楕円で示す）を表したものである。
【００４２】
成型イメージ画像が希望したものでなければ、繰り返し記憶手段に保存された画像の一部分を範囲選択し、上述した画像処理を繰りかえす。
なお、携帯電話機用のアプリケーションプログラム、例えば所謂Ｉ−アプリ（商標）や所謂Ｖ−アプリ（商標）と言われるプログラム、手法を用いて行うことで、保存された画像以外で、付け爪等で使用したい画像を数枚撮影して一気に印刷することが可能である。また、携帯電話機のカメラで例えば５枚画像を撮影し、５本全て違う画像を印刷、成型することが可能である。
【００４３】
これにより、好みに応じた成型イメージ画像を取得し、プリンタ１０によって樹脂板５０上に成型イメージ画像を印刷し、更に前記樹脂成型装置１１により成型部分５１ａを成型して所望の形状（例えば付け爪形状又はその他の形態、形状）の成型体５１に加工する。また、印刷後の成型イメージ画像の画像データは製造日付等の情報を付して前記データベース２に保存管理する。
【００４４】
本実施例１に係る樹脂板５０の印刷成型システムによれば、前記プリンタ１０によって所望の画像が印刷された樹脂板５０の移動に際して、成型用型（金型又は樹脂型或いはアルミ型等）（下）１５に直接位置決め（自動）し、成型用型（金型又は樹脂型或いはアルミ型等）（下）１６を移動（加熱部１２→成型部１３）することで、樹脂板５０の変形や樹脂板５０の冷めを解消し、スピーディに印刷・成型を行い、成型体５１を得ることが可能となる。
【００４５】
また、印刷済みの樹脂板５０の移動に際して、成型用型（金型又は樹脂型或いはアルミ型等）（下）１５に直接位置決め（自動）し、この成型用型（金型又は樹脂型或いはアルミ型等）（下）１５を固定し加熱部１２、成型部１３を移動させることによっても、樹脂板５０の変形や樹脂板５０の冷めを解消し、スピーディに印刷・成型を行い、成型体５１を得ることが可能となる。
【００４６】
更に、本実施例１に係る樹脂板５０の印刷成型システムによれば、難易度の高い専門ソフトウェアを使用することなく、簡易に誰でもデザイン処理・写真等の画像を取り込み成型制御コンピュータ１の制御の基に印刷・成型装置３によって樹脂板５０に対する印刷、樹脂板５０の成型を行い、成型体５１を得ることが可能となる。従って、このような本実施例１に係る樹脂板５０の印刷成型システムによれば、その操作性が簡易なことから、所謂プリクラ（商標）といわれる程度の操作性でもって、樹脂板５０に対する印刷、樹脂板５０の成型を行い、成型体５１を得ることが可能となる。
【００４７】
また、本実施例１に係る樹脂板５０の印刷成型システムによれば、成型制御コンピュータ１にデータベース２を備えることで、過去に蓄積した成型イメージ画像のデータを瞬時に検索し、印刷・成型装置３によって所望の成型体５１を得ることが可能となる。更に、カメラ付きの携帯電話１７等の記録メディア１８を成型制御コンピュータ１の所定のスロット等に差し込むだけで、その画像を使用して簡単にデザイン・印刷・成型が可能となる。
【００４８】
（実施例２）
次に、図４を参照して本発明の実施例２について説明する。
図４は本実施例２における通信ネットワーク型構成からなる樹脂板５０の印刷成型システムを示すものである。
【００４９】
本実施例２に係る印刷成型システムにおいて、成型制御コンピュータ１の構成は、実施例１の場合と同様であるが、成型制御コンピュータ１に対して任意数のクライアントコンピュータ２０をＬＡＮ（ローカルエリアネットワーク）等の通信ネットワーク２１により接続したことが特徴である。
【００５０】
この場合、既述した場合と同様な簡易印刷ソフトウェアは、成型制御コンピュータ１上で動作することができる他、通信ネットワーク２１を構築した環境では通信ネットワーク対応ハードディスクを備えたクライアントコンピュータ２０上で簡易印刷ソフトウェアを動作させることもできる。
【００５１】
本実施例２の印刷成型システムにおいて、カメラ付き携帯電話１７又は図示しないデジタルカメラの記録メディア１８に保存した画像又はクライアントコンピュータ２０で作成したデジタル画像を、記録メディア１８を介して又はそのままクライアントコンピュータ２０のハードディスク等の記憶手段に保存する。
【００５２】
保存されたデジタル画像は、画像サイズや解像度が様々であるため、クライアントコンピュータ２０の使用者はディスプレイ上に表示されるイメージ画像を見ながら、当該画像の一部分を範囲選択する。範囲選択後、クライアントコンピュータ２０は簡易印刷ソフトウェアによって自動的に画像処理を実行する。すなわち、拡大縮小処理、ひずみ補正、トリミング処理等、画像処理全般の操作を自動実行し、処理後の画像を成型イメージ画像として自動的に描画しディスプレイに表示する。これにより、使用者は成型イメージ画像を確認することができる。
【００５３】
成型イメージ画像が希望したものでなければ、繰り返し記憶手段に保存された画像の一部分を範囲選択し、上述した画像処理を繰りかえす。
【００５４】
更に、クライアントコンピュータ２０は、成型イメージ画像を通信ネットワーク２１を介して成型制御コンピュータ１に送信する。
【００５５】
成型制御コンピュータ１は、成型制御プログラムの他に、データベース２のデータベースファイル管理機能を備えており、クライアントコンピュータ２０から送信される画像データの管理を行うとともに、実施例１の場合と同様にして、印刷・成型装置３を制御し、樹脂板５０への印刷、成型体５１の成型を行う。
【００５６】
樹脂板５０への成型画像の印刷、成型体５１の成型が終了したら、成型制御コンピュータ１は通信ネットワーク２１を介して送信元のクライアントコンピュータ２０に成型完了の通知をする。
【００５７】
本実施例２に係る樹脂板５０の印刷成型システムによれば、成型制御コンピュータ１とクライアントコンピュータ２０とを通信ネットワーク２１で接続した環境の基で、実施例１の印刷成型システムの場合と同様の作用、効果を発揮させることができる。
【００５８】
すなわち、本実施例２に係る樹脂板５０の印刷成型システムによれば、クライアントコンピュータ２０から通信ネットワーク２１を介して成型イメージ画像を受信した成型制御コンピュータ１の制御の基に、前記プリンタ１０によって所望の画像が印刷された樹脂板５０の移動に際して、成型用型（金型又は樹脂型或いはアルミ型等）（下）１５に直接位置決め（自動）し、成型用型（金型又は樹脂型或いはアルミ型等）（下）１６を移動（加熱部１２→成型部１３）することで、樹脂板５０の変形や樹脂板５０の冷めを解消しつつ、スピーディに印刷・成型を行い、成型体５１を得ることが可能となる。
【００５９】
また、印刷済みの樹脂板５０の移動に際して、成型用型（金型又は樹脂型或いはアルミ型等）（下）１５に直接位置決め（自動）し、この成型用型（金型又は樹脂型或いはアルミ型等）（下）１５を固定し加熱部１２、成型部１３を移動させることによっても、樹脂板５０の変形や樹脂板５０の冷めを解消し、スピーディに印刷・成型を行い、成型体５１を得ることが可能となる。
【００６０】
更に、本実施例２に係る樹脂板５０の印刷成型システムによれば、クライアントコンピュータ２０において、難易度の高い専門ソフトウェアを使用することなく、簡易に誰でもデザイン処理・写真等の画像を取り込み簡易印刷ソフトウェアによって成型イメージ画像を作成し、成型制御コンピュータ１に送信して成型体５１の作成依頼をすることができ、更に、成型制御コンピュータ１から成型完了の通知を受けることで、成型完了状態を把握することができる。
【００６１】
また、本実施例２に係る樹脂板５０の印刷成型システムによれば、成型制御コンピュータ１にデータベース２を備えることで、過去に蓄積した成型イメージ画像のデータを瞬時に検索し、印刷・成型装置３によって所望の成型体５１を得ることが可能となる。
【００６２】
更に、カメラ付きの携帯電話１７等の記録メディア１８をクライアントコンピュータ２０の所定のスロット等に差し込むだけで、使用者はその画像を使用して簡単に成型イメージ画像を作成できる。
【００６３】
（実施例３）
次に、図５を参照して本発明の実施例３に係る樹脂板５０の印刷成型システムについて説明する。
【００６４】
本実施例３においては、成型制御コンピュータ１の構成は、実施例１の場合と同様であるが、成型制御コンピュータ１に対してインターネット接続サービスセンター６１が介在するインターネット網６０を介して任意数のクライアントコンピュータ２０又はカメラ付きの携帯電話１７を接続する構成としたこと、またインターネット網６０に成型イメージ作成サービスサーバー６２を接続する構成としたことが特徴である。
【００６５】
成型イメージ作成サービスサーバー６２は、画像データ等を処理するＷｅｂサーバー用ＣＧＩ（Ｃｏｍｍｏｎ  Ｇａｔｅｗａｙ  Ｉｎｔｅｒｆａｃｅ）プログラムを搭載している。
【００６６】
なお、本実施例３の印刷成型システムにおいて、カメラ付き携帯電話１７又は図示しないデジタルカメラの記録メディア１８に保存した画像又はクライアントコンピュータ２０で作成したデジタル画像を、記録メディア１８を介して又はそのままクライアントコンピュータ２０のハードディスク等の記憶手段に一旦保存することももちろん可能である。
【００６７】
本実施例３の印刷成型システムにおいて、カメラ付きの携帯電話１７又はクライアントコンピュータ２０は、インターネット接続機能を有するもので、インターネット接続サービスセンター６１はカメラ付きの携帯電話１７又はクライアントコンピュータ２０からの接続要求によってこれらをインターネット網６０に接続する。
【００６８】
成型イメージ作成サービスサーバー６２は、Ｗｅｂサーバー用ＣＧＩプログラムを搭載し、インターネット網６０を介して携帯電話１７のカメラ画像又はクライアントコンピュータ２０で作成したデジタル画像を受信する。
【００６９】
成型イメージ作成サービスサーバー６２は、成型イメージ画像を作成し、携帯電話１７又はクライアントコンピュータ２０はその成型イメージ画像を受信してそのディスプレイにブラウザ画面として描画する。
【００７０】
携帯電話１７又はクライアントコンピュータ２０の使用者は、ブラウザ画面を見て成型イメージ画像を確認後、詳細は後述するが決済処理を行い、成型イメージ作成サービスサーバー６２に当該画像の登録を行う。
【００７１】
前記成型イメージ作成サービスサーバー６２は、成型イメージ画像が登録されて、決済処理が完了した時点で、成型制御コンピュータ１の管理者にメールを転送する。
成型制御コンピュータ１の管理者は、メールに記載されている画像登録情報から当該成型イメージ画像を参照し、前記印刷・成型装置３を使用して樹脂板５０への印刷、樹脂板５０の成型加工を行う。
【００７２】
図６は本実施例３における携帯電話１７のからの画像データ又はクライアントコンピュータ２０で作成した画像データを基に成型イメージ作成サービスサーバー６２の前記ＣＧＩプログラム上で成型イメージ画像を作成し、処理するフローチャートを示すものである。
【００７３】
ユーザー（携帯電話１７又はクライアントコンピュータ２０の使用者）は、携帯電話１７又はクライアントコンピュータ２０からインターネット網６０を介して成型イメージ作成サービスサーバー６２に対して、特定の画像（写真）を添付して指定されたメールアドレス宛にメールを転送する。
【００７４】
成型イメージ作成サービスサーバー６２は、受信したメールに画像が添付されているか、添付画像が規格にあっているか否かを判断し、画像が添付されていないか又は添付画像が規格外である場合には、画像登録失敗である旨のメールを前記ユーザーに送信する。
【００７５】
成型イメージ作成サービスサーバー６２は、添付画像が規格内であれば、成型オーダーサイトのＵＲＬとそのアクセスＩＤをメールにて前記ユーザーに返送する。
【００７６】
メールを受信したユーザーは、メールに記載されているＵＲＬアクセスをブラウザ画面上でクリックして、更に指定ＵＲＬをアクセスし、指定されたアクセスＩＤを入力する。
【００７７】
成型イメージ作成サービスサーバー６２内にあるＷｅｂサーバー用ＣＧＩプログラムは、アクセスＩＤが期限切れであるか否か確認して、期限切れであればアクセス失敗の旨のページを前記ユーザーに向けて送出する。また、Ｗｅｂサーバー用ＣＧＩプログラムは、アクセスＩＤが期限切れでない場合には成型イメージ画像（付け爪等の作成用の成型イメージ画像）を作成し、携帯電話１７又はクライアントコンピュータ２０用のブラウザ画面に成型イメージ画像を描画する。
【００７８】
前記ユーザーは、成型イメージ画像を視認し、それが適切なものであれば確認ボタンを押下する。このユーザーによる確認の信号は成型イメージ作成サービスサーバー６２に送信され、成型イメージ作成サービスサーバー６２はこれを基に代金支払い方法、その説明、選択画面を当該ユーザーの携帯電話１７又はクライアントコンピュータ２０に送出する。これにより、前記ユーザーによる支払い方法選択処理が実行され、その選択結果が成型イメージ作成サービスサーバー６２に送信される。
【００７９】
この場合の支払い方法としては、郵便局口座振込み、銀行口座振込み、クレジット決済、ＣＶＳ決済、プリペイド決済、ネット決済等を挙げることができるがこれらの決済処理に関しては詳細説明を省略する。
【００８０】
次に、上述したような決済処理が完了後、図７に示すように、成型イメージ作成サービスサーバー６２は、前記ユーザーからの受注情報を記録し、オーダー確認用パスワードを生成する。また、成型イメージ作成サービスサーバー６２は、成型制御コンピュータ１の管理担当者に受注通知メールを送信し、同時に、携帯電話１７又クライアントコンピュータ２０のユーザーに対して、本システムによるオーダー受付確認及び確認用パスワード記載のメールを送信し、更に前記携帯電話１７又クライアントコンピュータ２０にオーダー完了画面を送出する。
【００８１】
図８は本実施例３における成型制御コンピュータ１の管理担当者がオーダー確認処理を行う際のフローチャートを示すものである。
【００８２】
成型イメージ作成サービスサーバー６２から受注通知メールを受信した管理担当者は、成型制御コンピュータ１から成型イメージ作成サービスサーバー６２の担当者用オーダー確認ページにアクセスする。これにより成型イメージ作成サービスサーバー６２はログイン画面を成型制御コンピュータ１に送信する。この結果、成型制御コンピュータ１のブラウザ画面にはログイン表示がされ、管理担当者はこの画面からＩＤ、パスワードを入力し成型イメージ作成サービスサーバー６２に送信する。
【００８３】
成型イメージ作成サービスサーバー６２は、前記管理担当者からのＩＤ、パスワードを照合し、ＩＤ、パスワードが正当でないと判断したときには、アクセス失敗の旨のページを成型制御コンピュータ１に向けて送出する。
また、ＩＤ、パスワードが正当であれば、成型イメージ作成サービスサーバー６２は、オーダー一覧画面（例えば２０件分）を成型制御コンピュータ１の管理担当者に送出する。
この場合、成型イメージ作成サービスサーバー６２から成型制御コンピュータ１に向けて一件ずつの件数送りとすることもできる。
【００８４】
成型制御コンピュータ１の管理担当者は、前記送信されてきたオーダー一覧表から、ある特定のオーダー番号を選択し、選択結果を成型イメージ作成サービスサーバー６２に通知する。
【００８５】
成型イメージ作成サービスサーバー６２は、選択されたオーダー番号に対応して、オーダー詳細画面として、注文ＩＤ、確認用の成型イメージ画像（例えば付け爪確認画像）、オーダー取り消しボタン、オーダー内容変更のための変更ボタン、オーダー情報変更、画像ダウンロードボタン等を含むオーダー情報を生成し、成型制御コンピュータ１に向けて送出する。
【００８６】
成型制御コンピュータ１の管理担当者は、このオーダー詳細画面において、画像ダウンロード、オーダー情報変更、オーダー内容変更、オーダー取り消しの処理を行うことができる。
【００８７】
成型制御コンピュータ１の管理担当者が、樹脂板への印刷、成型作業を行う場合は、画像ダウンロードボタンを押下する。これにより、成型イメージ作成サービスサーバー６２は選択されたオーダー番号に対応する成型イメージ画像を成型制御コンピュータ１に送出する。
【００８８】
この結果、成型制御コンピュータ１において既述した場合と同様に簡易印刷ソフトウェアを用いて、樹脂板５０に対する所望画像の印刷、成型体５１の成型作業を行うことができる。
【００８９】
成型制御コンピュータ１の管理担当者が、クライアントコンピュータ２０又は携帯電話１７側の発注者（ユーザー）からオーダー取り消し、オーダー情報変更依頼の連絡を受けた場合には、管理担当者は成型イメージ作成サービスサーバー６２に管理担当者用ＩＤ、パスワードを送信し、成型イメージ作成サービスサーバー６２にあるデータベース６３上のオーダー情報を削除又は変更する。成型イメージ作成サービスサーバー６２は、データベース情報を更新後、発注者にオーダー取り消しの旨又はオーダー情報変更の旨のメールを送信する。
【００９０】
図９は本実施例３における発注者（ユーザー）がオーダー確認処理を行う場合のフローチャートを示すものである。
【００９１】
発注者は、携帯電話１７又はクライアントコンピュータ２０から成型イメージ作成サービスサーバー６２に対して発注者専用（お客様用）オーダー確認ページをアクセスする。
成型イメージ作成サービスサーバー６２は、当該アクセスに応じてログイン画面を携帯電話１７又はクライアントコンピュータ２０に送出して、これに対して発注者が注文ＩＤ、パスワードを入力すると、これら注文ＩＤ、パスワードを受信した成型イメージ作成サービスサーバー６２は、注文ＩＤ、パスワードが正当であるか否か判断し、正当でない場合にはアクセス失敗の旨のページを携帯電話１７又はクライアントコンピュータ２０に送出する。
【００９２】
また、注文ＩＤ、パスワードが正当であれば、成型イメージ作成サービスサーバー６２は、オーダー詳細画面として、注文ＩＤ、確認用の成型イメージ画像（例えば付け爪確認画像）、届け先、発送状況等を含むオーダー情報を生成し、当該発注者の携帯電話１７又はクライアントコンピュータ２０に送信する。これにより、発注者は自己のオーダー確認処理を簡略に行うことができる。
【００９３】
この後、発注者が携帯電話１７又はクライアントコンピュータ２０においてログアウトボタンを押下すると、この情報を受信した成型イメージ作成サービスサーバー６２はログアウト処理を行い、ログアウト画面を当該携帯電話１７又はクライアントコンピュータ２０に送信する。以上で、発注者のオーダー確認処理に関する一連の処理が終了する。
【００９４】
本実施例３に係る樹脂板５０の印刷成型システムによれは、インターネット網６０の環境下で、携帯電話１７又はクライアントコンピュータ２０のユーザーから送信される画像を基に成型イメージ作成サービスサーバー６２において成型イメージ画像を作成してこれを成型制御コンピュータ１に送信し、成型制御コンピュータ１の制御の基に印刷・成型装置３によって実施例１の場合と同様な所望の成型体５１を得ることができる。
【００９５】
すなわち、インターネット網６０を利用して取り込む画像を基に実施例１、２の場合と同様にして成型イメージ画像を作成し、また、インターネット網６０を利用して取り込む成型イメージ画像を基に実施例１、２の場合と同様にして所望の成型体５１を成型することができる。
【００９６】
また、本実施例３に係る樹脂板５０の印刷成型システムによれば、携帯電話１７又はクライアントコンピュータ２０のユーザーによる所望の成型体５１の基となる画像を送信しての作成依頼、この画像に基づく成型イメージ作成サービスサーバー６２による成型イメージ画像の作成及びユーザーへの確認、ユーザー確認後のオーダー及び代金の決済処理、決済完了後のユーザーへの受付確認通知及び成型制御コンピュータ１の管理担当者への受注通知、成型制御コンピュータ１の管理担当者のオーダー確認、成型イメージ作成サービスサーバー６２からの成型イメージ画像の取得、取得した成型イメージ画像に基づく成型体５１の作成等の各種の処理をインターネット網６０を利用した環境下で的確、且つ、速やかに実行することができる。
【００９７】
これにより、携帯電話１７等のユーザー、成型イメージ作成サービスサーバー６２の使用者、成型制御コンピュータ１の管理担当者の間の所要の情報交換を円滑に行い、システム稼働率の向上を図ることができる。
【００９８】
（実施例４）
次に、図１０、図１１を参照して本発明の実施例４に係る樹脂板５０の印刷成型システムについて説明する。
【００９９】
本実施例４に係る樹脂板５０の印刷成型システムは、一つの主印刷・成型系７１に対してインターネット網６０を介して前記主印刷・成型系７１の設置箇所とは別の場所（例えば、各地のゲームセンタ、インターネット喫茶店等）に設置される任意数のクライアントコンピュータ１００又は任意数の携帯電話１１０を接続する構成としたことが特徴である。
【０１００】
すなわち、本実施例４に係る樹脂板５０の印刷成型システムは、主印刷・成型系７１と、各地に分散配置した任意数のクライアントコンピュータ１００又は任意数の携帯電話１１０と、これらの間のデータ交信を行う前記インターネット網６０と、を含んで構成している。
【０１０１】
前記クライアントコンピュータ１００としては、例えば簡易デザインソフト（プリクラソフトのようなもの）をインストールし、種々の記録メディアからデータを取り出すことのでき（例えば、コンビニ等に置いてあるデジカメプリントのような）簡易デザインソフト上でデザイン作成が行える専用タッチパネル式コンピュータ、専用デザインソフトをインストールした一般のパーソナルコンピュータ（例えば成型イメージ作成サービスサーバー６２の専用サイトにアクセスすることでインストールできデザイン作成可能）を採用することができる。
【０１０２】
また、前記クライアントコンピュータ１００は、記録メディア読取手段（カードリーダ）１０１を備え、例えば携帯電話１１０の記録メディア（例えばＳＤカード等）や、一般のパーソナルコンピュータの記録メディア（例えば、コンパクトメモリカード等）からその記録画像を読み取り（クライアントコンピュータ１００の設置場所）、この記録画像を基にその場で前記主印刷・成型系７１に対する所望の成型イメージ画像に基づく成型体５１の注文等が可能であるように構成している。なお、本発明においては、記録メディア読取手段を備えた任意数のクライアントコンピュータに代替して、記録メディア読取手段を備えた専用モバイルサイトにアクセス可能か、携帯電話専用のデザインソフトをダウンロードしたカメラ付きの携帯情報端末を用いることができる。
【０１０３】
なお、クライアントコンピュータ１００に撮影専用のカメラ（小型デジタルカメラ等；例えばプリクラ用のようなカメラ）を取り付け、クライアントコンピュータ１００自体で所望の画像を撮像し、この画像を基にその場で前記主印刷・成型系７１に対する所望の成型イメージ画像に基づく成型体５１の注文等が可能であるように構成することも可能である。
【０１０４】
また、前記携帯電話１１０は、例えば簡易デザインソフト（プリクラソフトのようなもの）上でデザイン作成が行える構成とした通常の携帯電話が主であるが、この他、例えば簡易デザインソフト（プリクラソフトのようなもの）上でデザイン作成が行え、かつ、データ通信機能を備えた各種携帯端末等を採用することができる。
【０１０５】
前記主印刷・成型系７１は、図１１に示すように、実施例１の印刷・成型装置３と略同様な構成の印刷・成型装置７２と、実施例１の場合と同様な成型制御コンピュータ１及び成型イメージ作成サービスサーバー６２と、ユーザー（前記クライアントコンピュータ１００の操作者）が作成したデザイン画像のデータを登録する登録サーバー９１と、ユーザー（前記デザイン画像の使用を欲する者）に対する所定の料金体系による課金処理を行う課金サーバー９２と、データベースサーバー９４、画像データ等を大量に記憶可能な記憶部９５を具備し、前記各クライアントコンピュータ１００、各携帯電話１１０に対する共有化されたデータベースとして機能する共通データベース９３と、ユーザー（前記クライアントコンピュータ１００の操作者又は前記デザイン画像の使用を欲する者）からの所望の成型体５１に関する注文の受注、注文に応じて印刷・成型装置７２により作成した成型体５１に関する発送等に関するデータ処理を行う受注・発送サーバー９６と、例えばルータ又はファイヤーウォール等からなり、インターネット網６０と接続する通信インターフェース９７と、これら各要素を接続するＬＡＮ（ローカルエリアネットワーク）９０とを有している。
【０１０６】
本実施例４において、前記成型イメージ作成サービスサーバー６２には、スポーツ選手やキャラクタ、アーティスト（もちろん肖像権の使用許可を得ての事）等のテンプレート画像データが用意され、これとユーザーの作成画像との画像合成処理（画像の自動嵌め込み等）を行って成型イメージ画像を作成し、オリジナル性の高い成型体５１の提供を可能としている。
【０１０７】
前記印刷・成型装置７２は、図１１に示すように、実施例１の場合と同様、樹脂板５０に対する所望の画像の印刷を行うプリンタ１０と、樹脂板５０を加熱する加熱部１２、樹脂板５０に対する成型を行う成型用型（金型又は樹脂型或いはアルミ型等）（下）１５、成型用型（金型又は樹脂型或いはアルミ型等）（上）１６からなる成型部１３及びトリミング処理を行うトリミング部１４を具備し、印刷処理後の樹脂板５０に対する成型を行い、成型体５１を成型する樹脂成型装置１１とを有している。なお、前記成型部１３の成型用型（金型又は樹脂型或いはアルミ型等）（下）１５、成型用型（金型又は樹脂型或いはアルミ型等）（上）１６の型材質としては、金属型、樹脂型、アルミ型等から選定できる。なお、本発明においては、不要部分を除去するトリミング処理を行うトリミング部１４の有無は問わない。
【０１０８】
前記トリミング部１４は、成型体５１とその回りの不必要部分とを切り離す動作を実行するものであり、これにより、成形後に成型体５１から不必要部分を切り取る作業をなくすことを可能としている。なお、前記成型部１３に同時トリミング機能を含ませる構成とした場合には前記トリミング部１４を省略した構成とすることもできる。
【０１０９】
前記プリンタ１０、樹脂成型装置１１による前記樹脂板５０に対する印刷、成型の工程は、印刷→平面抜き→加熱→成形の順又は平面抜き→印刷→加熱→成形の順のいずれでもよい。
【０１１０】
本実施例４における前記印刷・成型装置７２のプリンタ１０と樹脂成型装置１１とはセパレート構成とし、プリンタ１０に対して、大量の樹脂板５０の自動供給を行う樹脂板自動供給機構部１２４を取り付けている。これにより、従来のプラスチック板に印刷する印刷機（例  カードプリンタ等）は、１度にセットできるカード枚数に限りがあり、大量生産時には人手を要していたが、本実施例４においては樹脂板自動供給機構部１２４により大量の樹脂板５０を自動的に供給でき、量産性を高めることができる。
【０１１１】
また、本実施例４においては、前記プリンタ１０の印刷部へのインク（インクリボン等）を自動供給を行うインク自動供給機構部１２５を取り付けている。
【０１１２】
これにより、従来のプラスチック板に印刷する印刷機（例  カードプリンタ等）では、１本のインク（インクリボン等）での印刷枚数に制限があり（フルカラーで２００枚〜２５０枚、単色で１０００枚〜１３００枚）、大量生産時には人手を要していたが、本実施例４においてはインク自動供給機構１２５部を設けたことにより、人手によるインク交換なしで大量の樹脂板５０に対する印刷が可能となり、この点からも量産性を高めることができる。
【０１１３】
前記印刷・成型装置７２は、実施例１の場合と同様に、印刷処理後の樹脂板５０に対して樹脂成型装置１１を構成する成型用型（金型又は樹脂型或いはアルミ型等）（下）１５を移動させることにより、樹脂板５０自体を移動しないようにしたり、樹脂板５０自体を移動せず、成型用型（金型又は樹脂型或いはアルミ型等）（下）１５を固定し、加熱部１２及び成型用型（金型又は樹脂型或いはアルミ型等）（上）１６を移動するように構成することも可能である。
【０１１４】
この場合の移動軌跡は直線移動、円運動のいずれでもよい。これにより、加熱部１２により加熱され柔らかくなった樹脂板５０が移動によって変形したり、冷え過ぎたりすることを防止することができる。
【０１１５】
また、前記成型用型（金型又は樹脂型或いはアルミ型等）（下）１５、成型用型（金型又は樹脂型或いはアルミ型等）（上）１６は、実施例１の場合と同様に、容易に交換可能なカセット方式とし、随時異なる成形面を有する別の成型用型（金型又は樹脂型或いはアルミ型等）（下）１５、成型用型（金型又は樹脂型或いはアルミ型等）（上）１６に変更することで種々の形状の成型を可能とすることができる。また、工具を使うこと無く交換が可能であり、これにより、多品種少量生産が容易な構成としている。
【０１１６】
更に、前記成型用型（金型又は樹脂型或いはアルミ型等）（下）１５、成型用型（金型又は樹脂型或いはアルミ型等）（上）１６からなる成型部１３を、複数個構成とすることにより、一度の成型サイクルで同一形状の成型体５１の製造量の拡大を図ったり、または、一度の成型サイクルで各成型部１３毎に異形の成型体５１の製造を可能とすることができる。
【０１１７】
更にまた、本実施例４では、前記成型部１３の成型用型（金型又は樹脂型或いはアルミ型等）（下）１５、成型用型（金型又は樹脂型或いはアルミ型等）（上）１６に対して、これら双方又はいずれか一方にヒータ１２１を取り付け、前記成型用型（金型又は樹脂型或いはアルミ型等）（下）１５、成型用型（金型又は樹脂型或いはアルミ型等）（上）１６の双方又はいずれか一方を加熱するととも、前記ヒータ１２１に対応して前記成型用型（金型又は樹脂型或いはアルミ型等）（下）１５、成型用型（金型又は樹脂型或いはアルミ型等）（上）１６の双方又はいずれか一方に専用の温度計（例えば、サーミスタ・熱電対・放射温度計等）１２２により測温し、測温データを前記成型制御コンピュータ１にフィードバックして温度管理（温度制御）を行うようにしている。この場合の温度制御は、成型部１３の温度管理、加熱温度管理、内部雰囲気温度・外部雰囲気温度管理を例えばＰＩＤ（比例・積分・微分）制御（但し、ＰＩＤ制御に限定されるものではない）で行われる。前記成型部１３の加熱は、別途専用のヒータを設け、前記成型部１３そのものを加熱してもよい。なお、成型に大きな要因を与えるのが、加熱時間と成型時間であり、連続印刷や季節の変化、時期等に応じて、当該二つの時間を型の温度、内外部の雰囲気温度により手動、自動にて制御することが可能であり、このことは、実施例４における成型のみでなく、本発明の他の実施例における成型に関しても同様に制御可能である。
【０１１８】
前記成型用型（金型又は樹脂型或いはアルミ型等）（下）１５、成型用型（金型又は樹脂型或いはアルミ型等）（上）１６の加熱温度に関しては、従来季節により加熱温度条件が変ったり、成型用型（金型又は樹脂型或いはアルミ型等）（下）１５、成型用型（金型又は樹脂型或いはアルミ型等）（上）１６が冷えて良好な成形ができない問題があったが、本実施例４では専用の温度計１２２を使用し温度監視して、成形前に自動的にプレヒートすることで良質な成型体５１を得ることができる。
【０１１９】
また、前記成型部１３の成型用型（金型又は樹脂型或いはアルミ型等）（下）１５、成型用型（金型又は樹脂型或いはアルミ型等）（上）１６が熱過ぎる（連続成形時等）場合は、温度が下がるまで、又は、自動強制冷却するまで成形動作は行わない。もちろん全てが前記成型制御コンピュータ１により自動で制御される。
【０１２０】
更に、前記成型部１３により樹脂板５０を成形しながら加熱も可能である（前記成型部１３の成型用型（金型又は樹脂型或いはアルミ型等）（下）１５、成型用型（金型又は樹脂型或いはアルミ型等）（上）１６自体にヒータ機能がある。例えば、成型用型（金型又は樹脂型或いはアルミ型等）（下）１５、成型用型（金型又は樹脂型或いはアルミ型等）（上）１６の内部に加熱したオイルやお湯を循環させたり、ヒータを埋め込んでもよい）。
【０１２１】
本実施例４では、場合によっては湿度計１２３を前記成型部１３の内外に配置し、成型部１３内外の湿度管理も自動で行い、湿度調整することも可能であり、より安定した品質の成型体５１を得ることができる。
【０１２２】
前記成型部１３の成形動作時において加熱した樹脂板５０を移動させることは非常に困難である。柔らかいし移動時に固まりそのまま変形してしまう等の問題があるためである。そこで、本実施例４においては、樹脂板５０を最初から例えば成型用型（金型又は樹脂型或いはアルミ型等）（下）１５上にセットし、成型用型（金型又は樹脂型或いはアルミ型等）（下）１５又は加熱部１２又はこれら双方を移動する成形工程を採用することで、加熱した樹脂板５０の移動の困難さを解消することができる。
【０１２３】
更に、図１２に示すように、耐熱性を有しキャスタ１２７を備えた移動台車１２６上に例えば成型用型（金型又は樹脂型或いはアルミ型等）（下）１５をセットし、更に、樹脂板５０を成型用型（金型又は樹脂型或いはアルミ型等）（下）１５上にセットして、移動台車１２６により成型用型（金型又は樹脂型或いはアルミ型等）（下）１５、樹脂板５０を移動し成形工程を実行することもできる。
【０１２４】
本実施例４においては、平板状の樹脂板５０からの型抜きに際して、成形後の付け爪（又はその他の形態、形状）の側面から見たラインが直線となるように前記成型用型（金型又は樹脂型或いはアルミ型等）（下）１５、成型用型（金型又は樹脂型或いはアルミ型等）（上）１６による型抜き形状を工夫することで、商品価値の向上と、ユーザーの要望を満足させ得るつけ爪を得ることができる。従来においては、例えばつけ爪の成形では、平板を型抜きし成形することで側面から見たラインが直線ではなく曲線状で商品価値の低い付け爪等しか得られなかった。
【０１２５】
本実施例４においては、前記プリンタ１０による樹脂板５０への印刷を行うに際して、立体印刷手法（例えば、樹脂板５０の基材上に複数層の印刷層及び成型イメージ画像を印刷する）を採用するとともに、印刷済みの樹脂板５０を、樹脂成型装置１１へ再度設置し、
前記成型用型（金型又は樹脂型或いはアルミ型等）（下）１５、成型用型（金型又は樹脂型或いはアルミ型等）（上）１６により型抜きを行うことで、樹脂板５０を立体形状に成形するものであり、今まで以上の創造性、デザイン性の向上、製品価値の向上に成功した。
【０１２６】
このような立体成形においては、前記成型用型（金型又は樹脂型或いはアルミ型等）（下）１５、成型用型（金型又は樹脂型或いはアルミ型等）（上）１６がカセット式であることから、異なる成形面を持った複数個の成型用型（金型又は樹脂型或いはアルミ型等）（下）１５、成型用型（金型又は樹脂型或いはアルミ型等）（上）１６を適宜付け替えすることで、多種多様なオリジナル樹脂板（又は所望の成形物）を得ることができる。
【０１２７】
本実施例４においては、図１３に示すように、プリンタ本体１４０と、各々一対構成の搬入ローラ１４１、搬出ローラ１４２と、透明樹脂板１５０への印刷を行うプリントヘッド１４３と、前記樹脂板５０と同様な外形の透明樹脂板１５０の先端、後端検出を行う発光素子、受光素子の組み合わせからなる光電センサー（透明樹脂板有無確認用センサー）１４４、１４５とを有するプリンタ１０Ａを採用することもできる。この場合、前記透明樹脂板１５０の一部（光電センサー１４４、１４５の光路に相当する位置）に光電センサー１４４、１４５の光路を遮る光不透過性インク１４７を塗布することで、光電センサー１４４、１４５をオン、オフ動作させることができ、これにより、透明樹脂板１５０の印刷、更にはその後の成型を可能とした。なお、従来の例えばカードプリンタでは、透明カードの印刷はその構造上煩雑であり、殆どできない状態であった。
【０１２８】
また、本実施例４においては、図１４に示すように、プリンタ本体１４０と、各々一対構成の搬入ローラ１４１、搬出ローラ１４２と、透明樹脂板１５０への印刷を行うプリントヘッド１４３と、前記透明樹脂板１５０の搬送路に臨ませたリミットスイッチ等のような器械的に透明樹脂板１５０が挿入されたら器械式にその先端部の当接によりスイッチがオン（ＯＮ）する器械式センサー１４６とを有するプリンタ１０Ｂを採用することもできる。
【０１２９】
このようなプリンタ１０Ｂを用いる場合には、光電センサーを使用せずに透明樹脂板１５０の印刷、更にはその後の成型を可能とすることができる。
【０１３０】
本実施例４において、前記印刷・成型装置７２により成型する成型体５１の一部分に、図１５に示すように余白５２を設けることで、その余白５２を例えば企業等の広告欄として使用するようにすることもできる。
【０１３１】
また、本実施例４において、前記印刷・成型装置７２により、図１６に示すように、デザイン模様や画像（例えばネイルデザインや画像）と同じ物を非成型平印刷し（固有のＩＤ番号５３も同時印刷される）、このチップ（小さな穴が空いていても良い）をメニュー用ストラップ等として保管することで、次回注文時に前記ＩＤ番号５３を基に同一の物を注文する際の便宜を図ることも可能である。なお、本実施例４において、前記印刷・成型装置７２によりオリジナルの樹脂板５０を成形せず、平板のまま樹脂板５０状態でユーザーへ供給することも可能である。
【０１３２】
次に、本実施例４に係る樹脂板５０の印刷成型システムの動作について説明する。本実施例４に係る樹脂板５０の印刷成型システムの動作は、基本的には図５に示す実施例３に係る印刷成型システムの場合と略同様であることから、共通する部分の説明は省略し、以下には本実施例４の印刷成型システム特有の点について詳述する。
【０１３３】
本実施例４に係る樹脂板５０の印刷成型システムは、上述した構成から明らかなように、一つの主印刷・成型系７１と、各地に分散配置した任意数のクライアントコンピュータ１００又は任意数の携帯電話１１０がそれぞれインターネット網６０でネットワーク化され、主印刷・成型系７１に設けた前記登録サーバー９１、共通データベース９３を使用して、ユーザーが作成したデザイン画像の登録サーバー９１への登録、主印刷・成型系７１からユーザーのクライアントコンピュータ１００又は任意数の携帯電話１１０への成型イメージ画像の提供等を随時双方向に実行し得るようにしたことが最大の特徴である。
【０１３４】
これにより、ユーザーは、前記クライアントコンピュータ１００又は携帯電話１１０を使用し、主印刷・成型系７１の成型イメージ作成サービスサーバー６２のホームページにアクセスすることで、どこからでも前記共通データベース９３から同じデザイン画像を取り込みデザイン画像を作成してこれをインターネット網６０を介して主印刷・成型系７１に設けた前記登録サーバー９１に登録することが可能となる。
【０１３５】
また、主印刷・成型系７１側の運用面では、印刷や成型拠点を各地に持つ必要が無いことから、本実施例４の印刷成型システムの管理・維持が容易になる。
【０１３６】
また、ユーザーが作成したデザイン画像を前記登録サーバー９１に登録することで、前記成型イメージ作成サービスサーバー６２のホームページを通じて一般第三者にそのデザイン画像を提供することも可能となる。
【０１３７】
この場合、ユーザー作成によるデザイン画像（デザイン画像データ等）は、その作成者の著作権を伴うため、登録サーバー９１で管理し、利用を欲する第三者に提供した場合、課金サーバー９２を使用して第三者に対する課金処理を実行し、デザイン作成者へ自動的に金銭バックをすることもできる。
【０１３８】
例えば、ネイルスクールの生徒作成のデザイン画像を、前記登録サーバー９１に登録し、一般に公開することで第三者からの人気が出たような場合、デザイン商品化の道が開かれ、ネイルスクールの技術向上に寄与したり、その生徒の就職支援等に役立てる事が可能になるという効果を期待できる。
【０１３９】
また、本実施例４によれば、前記クライアントコンピュータ１００又は携帯電話１１０を使用し、成型イメージ作成サービスサーバー６２のホームページを通じて成型イメージ画像の送信要求を行い、例えば付け爪に関する所望の成型イメージ画像を取り込み、予めインストールしている簡易デザインソフトを使用してフレームやハート形又は星形等のアイコンや、手書き文字風アイコン、手書き文字等を付け加えたオリジナルなデザイン画像を作成し、作成したデザイン画像を前記登録サーバー９１に登録したり、また、主印刷・成型系７１側の前記受注・発送サーバー９６に対して当該デザイン画像に応じた成型体５１の商品発注を行い、前記主印刷・成型系７１の印刷・成型装置７２で印刷、成型を実行して当該成型体５１を作成し、前記受注・発送サーバー９６によりユーザーへの商品発送処理を行ってユーザーへ注文に係る成型体５１を例えば郵送等で届けるようにすることもできる。
【０１４０】
この場合、前記画像の素材としては、携帯電話１１０による撮影画像や、デジタルカメラ、コンピュータで作成した画像、前記クライアントコンピュータ１００又は専用モバイルサイトにアクセス可能か、携帯電話専用のデザインソフトをダウンロードしたカメラ付きの携帯情報端末の記録メディア読取手段１０１で読み込んだ画像、スキャナ等を介してコンピュータに取り込み記録メディアに記録した画像等、種々の形態の画像素材を使用可能である。
【０１４１】
なお、上述した場合の他、前記携帯電話１１０へ専用のソフト（例えば、ＮＴＴドコモ社：Ｉ−アプリ等）をダウンロードすることで、携帯電話１１０で撮影した画像にフレームやアイコン、文字、マーク等を自由にデザイン処理して一枚又は任意数のデザイン画像を作成し、このデザイン画像を基に上述した場合と同様にして主印刷・成型系７１側の前記受注・発送サーバー９６に対して当該デザイン画像に応じた成型体５１の商品発注を行い、当該商品の提供を受けることも可能である。
【０１４２】
（実施例５）
次に、図１７、図１８を参照して本発明の実施例５に係る樹脂板５０の印刷成型システムについて説明する。
【０１４３】
本実施例５に係る樹脂板５０の印刷成型システムは、図１７に示すように、実施例４の場合と同様な一つの主印刷・成型系７１に対してインターネット網６０を介して前記主印刷・成型系７１の設置箇所とは別の場所（例えば、各地の市街地に設けた建家等）に設置した任意数の無人で可動する例えばプリクラシステムのようなローカル印刷・成型系１５１を接続する構成とし、前記前記主印刷・成型系７１の成型イメージ作成サービスサーバー６２、共通データベース９３を各ローカル印刷・成型系１５１で共有する構成としたことが特徴である。
【０１４４】
前記ローカル印刷・成型系１５１は、図１８に示すように、各々実施例４の場合と同様なプリンタ１０及び樹脂成型装置１１を含む印刷・成型装置７２と、成型制御コンピュータ１と、記録メディア読取手段（カードリーダ）１０１と、を有するとともに、更に、ユーザー操作用の簡易デザインソフトをインストール又はインターネットのホームページ上のデザインソフトをブラウザ上で使用し、インターネット接続機能を有するユーザー端末（コンピュータ）１５２と、例えばルータ又はファイヤーウォール等からなり、インターネット網６０に接続する通信インターフェース１５３と、これら各要素を接続するＬＡＮ（ローカルエリアネットワーク）１５４とを有している。
【０１４５】
前記記録メディア読取手段１０１は、例えば携帯電話１１０の記録メディア（例えばＳＤカード等）や、一般のパーソナルコンピュータの記録メディア（例えば、コンパクトメモリカード等）からその記録画像を読み取る（ローカル印刷・成型系１５１の設置場所）ようになっている。前記主印刷・成型系７１、印刷・成型装置７２、成型制御コンピュータ１の各構成、各動作は実施例４の場合と同様である。
【０１４６】
本実施例５に係る樹脂板５０の印刷成型システムによれば、いずれかのローカル印刷・成型系１５１の設置場所において、ユーザー端末１５２を操作するユーザーは、自己が保持する記録メディアを前記記録メディア読取手段１０１に挿入して、ユーザー端末１５２にその画像を読み込むとともに、インターネット網６０を介して前記主印刷・成型系７１の成型イメージ作成サービスサーバー６２を通じて共通データベース９３にアクセスし、例えば付け爪に関する所望の成型イメージ画像等を取り込み、前記簡易デザインソフトを使用してフレームやハート形又は星形等のアイコンや、手書き文字風アイコン、手書き文字等を付け加えたオリジナルなデザイン画像を作成することができる。なお、本発明においては、前記ローカル印刷・成型系１５１の設置場所に代替して、データベース（インターネット網）を利用し、センター（本部）から直接に各地の離れた印刷・成型系に印刷・成型をコマンド命令して実施することもできる。
【０１４７】
そして、このデザイン画像を用いてその場で前記プリンタ１０及び樹脂成型装置１１を含む印刷・成型装置７２を作動させ、前記デザイン画像に応じた所望の成型体５１を得てそのまま持ち帰ることができる。
【０１４８】
すなわち、本実施例５に係る樹脂板５０の印刷成型システムは、いずれかのローカル印刷・成型系１５１の設置場所において、自らの操作によりオリジナルなデザイン画像の作成を行い、更に、デザイン画像に応じた所望の成型体５１を得てそのまま持ち帰ることができるという極めて簡便性に富んだ樹脂板５０の印刷成型システムを提供できる。
【０１４９】
また、本実施例５においても、実施例４の場合と同様、前記印刷・成型装置７２により、図１６に示すように、デザイン模様や画像（例えばネイルデザインや画像）と同じ物を非成型平印刷し（固有のＩＤ番号５３も同時印刷される）、このチップ（小さな穴が空いていても良い）をメニュー用ストラップ等として保管することで、次回注文時に前記ＩＤ番号５３を基に同一の物を注文する際の便宜を図ることも可能である。
【０１５０】
（実施例６）
次に、図１９、図２０、図２１を参照して本発明の実施例６に係る樹脂板５０の印刷成型システムについて説明する。
【０１５１】
本実施例６に係る樹脂板５０の印刷成型システムは、上述した実施例４、５の構成を組み合わせたものであり、図１９に示すように、実施例４、５の場合と同様な一つの主印刷・成型系７１に対して、インターネット網６０を介して前記主印刷・成型系７１の設置箇所とは別の場所（例えば、各地のゲームセンタ、インターネット喫茶店、又は、各地の市街地に設けた建家等）に設置した任意数の無人で可動する例えばプリクラシステムのような実施例５の場合と同様なローカル印刷・成型系１５１と、各ローカル印刷・成型系１５１に対応した実施例４の場合と同様なクライアントコンピュータ１００又は携帯電話１１０とを各々接続する構成とし、これら各ローカル印刷・成型系１５１、各クライアントコンピュータ１００又は携帯電話１１０の各要素において前記主印刷・成型系７１の成型イメージ作成サービスサーバー６２、共通データベース９３を共有する構成としたことが特徴である。
【０１５２】
この場合、前記各地のクライアントコンピュータ１００に対応するローカル印刷・成型系１５１には、図２０に示すように、いつでも同一の印刷・成型装置７２を追加で設置する（印刷・成型装置７２を複数（例えば２台、３台等）構成とする）こともできる。このような構成を採用することにより、必要に応じて（その場で作成したデザイン画像に応じた成型体５１（例えば立体印刷成形物）を直ぐに欲しい場合等）例えば２台の印刷・成型装置７２に対して、立体印刷手法により印刷した樹脂板５０を順に供給して立体成型を実行して所望の立体印刷成形物を取得することができる。
【０１５３】
また、前記各ローカル印刷・成型系１５１に対して、図２１に示すように、各々前記インターネット網６０と接続した複数のクライアントコンピュータ１００を例えばＬＡＮ１６０により接続するネットワーク構成とすることも可能である。
【０１５４】
この場合、前記クライアントコンピュータ１００としては、例えば簡易デザインソフトがインストールされ、操作を簡単にしたタッチパネル一体型コンピュータや、通常のパーソナルコンピュータ等を使用する。
【０１５５】
本実施例６においても、実施例５の場合と同様、いずれかのローカル印刷・成型系１５１の設置場所において、前記クライアントコンピュータ１００又は前記ユーザー端末１５２を操作するユーザーは、自己が保持する記録メディアを前記記録メディア読取手段１０１に挿入して、ユーザー端末１５２にその画像を読み込むとともに、インターネット網６０を介して前記主印刷・成型系７１の成型イメージ作成サービスサーバー６２を通じて共通データベース９３にアクセスし、例えば付け爪に関する所望の成型イメージ画像等を取り込み、前記クライアントコンピュータ１００又は前記ユーザー端末１５２の前記簡易デザインソフトを使用してフレームやハート形又は星形等のアイコンや、手書き文字風アイコン、手書き文字等を付け加えたオリジナルなデザイン画像を作成することができる。
【０１５６】
そして、このデザイン画像を用いてその場で前記プリンタ１０及び樹脂成型装置１１を含む印刷・成型装置７２を作動させ、前記デザイン画像に応じた所望の成型体５１（例えばつけ爪等）を得てそのまま持ち帰ることができる。
【０１５７】
また、本実施例６においても、実施例４の場合と同様、各ローカル印刷・成型系１５１における印刷・成型装置７２により、図１６に示すように、デザイン模様や画像（例えばネイルデザインや画像）と同じ物を非成型平印刷し（固有のＩＤ番号５３も同時印刷される）、このチップ（小さな穴が空いていても良い）をメニュー用ストラップ等として保管することで、次回注文時に前記ＩＤ番号５３を基に同一の物を注文する際の便宜を図ることも可能である。
【０１５８】
本実施例６において、いずれかのローカル印刷・成型系１５１の設置場所において、前記ローカル印刷・成型系１５１と前記クライアントコンピュータ１００とをＬＡＮ１６０によりネットワーク化しない構成を採用する場合もある。
【０１５９】
この場合においては、前記ローカル印刷・成型系１５１、前記クライアントコンピュータ１００又は携帯電話１１０は各々インターネット網６０により主印刷・成型系７１と
接続される（すなわち、インターネット網６０で生産工場直の形態を有する）ので、ユーザーは、実施例４の場合と同様、前記クライアントコンピュータ１００又は携帯電話１１０を使用し、主印刷・成型系７１における成型イメージ作成サービスサーバー６２のホームページを通じて成型イメージ画像の送信要求を行い、例えば付け爪に関する所望の成型イメージ画像を取り込み、予めインストールしている簡易デザインソフトを使用してフレームやハート形又は星形等のアイコンや、手書き文字風アイコン、手書き文字等を付け加えたオリジナルなデザイン画像を作成し、作成したデザイン画像を前記登録サーバー９１に登録したり、また、主印刷・成型系７１側の前記受注・発送サーバー９６に対して当該デザイン画像に応じた成型体５１の商品発注を行い、前記主印刷・成型系７１の印刷・成型装置７２で印刷、成型を実行して当該成型体５１を作成し、前記受注・発送サーバー９６によりユーザーへの商品発送処理を行ってユーザーへ注文に係る成型体５１を例えば郵送等で届けるようにすることもできる。
【０１６０】
このようなシステム構成を採用した場合、前記ローカル印刷・成型系１５１の設置場所において直ちにユーザーに成型体５１を提供はできないが、後日製品を郵送してユーザーに届けることが可能となるため、前記ローカル印刷・成型系１５１の設置場所は狭敷地で済み、低コスト化が可能であるというシステム運用面での利点を有する。
【０１６１】
なお、以上説明した本発明によれば、例えば１つの印刷・成型装置３、樹脂成型装置１１に成型体を複数用意することで一度に多種の形状の付け爪（又はその他の形態、形状）等を製作可能であり、また、１つのパーソナルコンピュータ、クライアントコンピュータのデザインで自動的に多種の形状の付け爪等を製作可能である（例えば付け爪は種々多数の形状があるが、以上説明した本発明によれば、１つのデザインを作成するだけで、時間をかけずに一度に多種の形状の付け爪チップへ印刷、成型することが可能となる）。
【産業上の利用可能性】
【０１６２】
本発明は、上述した場合の他、携帯情報端末や記録メディア、コンピュータ装置及び印刷・成型装置を使用して種々の画像付きの成型体、例えばシールやラベル、バッジ、付け爪、ペンダント、ストラップ、名刺、クセサリー、ピック等を得る場合に幅広く適用でき、これらにより、オリジナリティの高いまた、今までにないデザインの世界の幅を広げた成型体をあらゆる場面で簡単に安く提供が可能なシステムを構築できる。
【図面の簡単な説明】
【０１６３】
【図１】本発明の実施例１に係る樹脂板の印刷成型システムの構成を示すブロック図である。
【図２】本実施例１に係る印刷・成型装置のブロック図である。
【図３】本実施例１に係る印刷・成型装置の印刷、成型動作を示す説明図である。
【図４】本発明の実施例２に係る樹脂板の印刷成型システムのブロック図である。
【図５】本発明の実施例３に係る樹脂板の印刷成型システムのブロック図である。
【図６】本実施例３におけるクライアントコンピュータのユーザーと成型イメージ作成サービスサーバーとの間の処理の流れを示すフローチャートである。
【図７】本実施例３における成型イメージ作成サービスサーバーの処理の流れを示すフローチャートである。
【図８】本実施例３における成型イメージ作成サービスサーバーと成型制御コンピュータの管理担当者との間の処理の流れを示すフローチャートである。
【図９】本実施例３におけるユーザーが成型イメージ作成サービスサーバーとの間でオーダー確認処理を行う場合の処理の流れを示すフローチャートである。
【図１０】本発明の実施例４に係る樹脂板の印刷成型システムの構成を示すブロック図である。
【図１１】本実施例４における主印刷・成型系の構成を示すブロック図である。
【図１２】本実施例４における移動台車を示す概略図である。
【図１３】本実施例４におけるプリンタの他例を示す概略構成図である。
【図１４】本実施例４におけるプリンタの更に他例を示す概略構成図である。
【図１５】本実施例４における成型体の一例を示す平面図である。
【図１６】本実施例４における成型体の一例を示す平面図である。
【図１７】本発明の実施例５に係る樹脂板の印刷成型システムの構成を示すブロック図である。
【図１８】本実施例５におけるローカル印刷・成型系の構成を示すブロック図である。
【図１９】本発明の実施例６に係る樹脂板の印刷成型システムの構成を示すブロック図である。
【図２０】本実施例６におけるローカル印刷・成型系の印刷・成型装置を複数構成とした場合の概略図である。
【図２１】本実施例６におけるローカル印刷・成型系に複数のクライアントコンピュータを接続した構成を示す概略図である。
【符号の説明】
【０１６４】
１    成型制御コンピュータ
２    データベース
３    印刷・成型装置
１０    プリンタ
１０Ａ  プリンタ
１０Ｂ  プリンタ
１１    樹脂成型装置
１２    加熱部
１３    成型部
１４    トリミング部
１５    成型用型（金型又は樹脂型或いはアルミ型等）（下）
１６    成型用型（金型又は樹脂型或いはアルミ型等）（上）
１７    携帯電話
１８    記録メディア
１９    パーソナルコンピュータ
２０    クライアントコンピュータ
２１    通信ネットワーク
５０    樹脂板
５１ａ  成型部分
５１    成型体
５２    余白
５３    ＩＤ番号
６０    インターネット網
６１    インターネット接続サービスセンター
６２    成型イメージ作成サービスサーバー
６３    データベース
７１    主印刷・成型系
７２    印刷・成型装置
９１    登録サーバー
９２    課金サーバー
９３    共通データベース
９４    データベースサーバー
９５    記憶部
９６    受注・発送サーバー
９７    通信インターフェース
１００    クライアントコンピュータ
１０１    記録メディア読取手段
１１０    携帯電話
１２１    ヒータ
１２２    温度計
１２３    湿度計
１２４    樹脂板自動供給機構部
１２５    インク自動供給機構部
１２６    移動台車
１２７    キャスタ
１４０    プリンタ本体
１４１    搬入ローラ
１４２    搬出ローラ
１４３    プリントヘッド
１４４    光電センサー
１４５    光電センサー
１４６    器械式センサー
１４７    光不透過性インク
１５０    透明樹脂板
１５１    ローカル印刷・成型系
１５２    ユーザー端末
１５３    通信インターフェース
１５４    ＬＡＮ
１６０    ＬＡＮ
【図１】
2007055255.tif 000003
【図２】
2007055255.tif 000004
【図３】
2007055255.tif 000005
【図４】
2007055255.tif 000006
【図５】
2007055255.tif 000007
【図６】
2007055255.tif 000008
【図７】
2007055255.tif 000009
【図８】
2007055255.tif 000010
【図９】
2007055255.tif 000011
【図１０】
2007055255.tif 000012
【図１１】
2007055255.tif 000013
【図１２】
2007055255.tif 000014
【図１３】
2007055255.tif 000015
【図１４】
2007055255.tif 000016
【図１５】
2007055255.tif 000017
【図１６】
2007055255.tif 000018
【図１７】
2007055255.tif 000019
【図１８】
2007055255.tif 000020
【図１９】
2007055255.tif 000021
【図２０】
2007055255.tif 000022
【図２１】
2007055255.tif 000023